(57)【要約】      （修正有）【課題】物品を包むための外観的に趣向性と情緒性に溢れ、優雅で自然に優しい日本の伝統的、文化的遺産としての風呂敷をイメージした外観を有するとともに物品を簡単に包み易く工夫する。【解決手段】矩形状底面板の対向する一対の端部に連設した側面板と重合板と、前記底面板の対向する他の一対の端部に連設したフラップ板と、前記底面板の両端部に孔設した各々切抜孔とを備えた外装シートと、風呂敷状布帛シートＢと、止めゴムＣとからなり、一対の各々角隅シート部１１、１１を重合又は結束して物品Ｄを包んだ風呂敷状布帛シートＢを、前記外装シートの底面板の各々切抜孔に装通して、風呂敷状布帛シートＢの他の一対の各々角隅シート部１２、１２を各々フラップ板を覆うようにして結束し、各々重合板を重合して互いに閉鎖して包装した。【選択図】図４
2005313950.tif 000002
【特許請求の範囲】
【請求項１】
矩形状底面板１の対向する一対の端部に各々折目ａ、ａを介して連設した側面板２、２と、該側面板２、２に前記各々折目ａと平行な各々折目ｂ、ｂを介して連設した重合板３、３と、前記底面板１の対向する他の一対の端部に各々折目ｃ、ｃを介して連設したフラップ板５、５と、前記底面板１の各々折目ｃ側の両端部に各々折目ｃと平行に孔設した各々切抜孔６、６とを備えた外装シートＡと、内容物を包む風呂敷状布帛シートＢとからなり、前記風呂敷状布帛シートＢ上に物品Ｄを載せ、そのシートＢの対角方向に対向する一対の各々角隅シート部１１、１１を重合又は結束して物品Ｄを包んだ風呂敷状布帛シートＢを前記外装シートＡの底面板１上に載置した後、前記底面板１の各々切抜孔６に装通した該風呂敷状布帛シートＢの他の一対の各々角隅シート部１２、１２を各々折目ｃを介して立ち上げた各々フラップ板５を覆うようにして結束し、前記各々側面板２を折目ａを介して立ち上げ、該側面板２の各々重合板３を各々折目ｂを介して折り曲げて重合した後、該各々重合板３を互いに接合して閉鎖することを特徴とする風呂敷状パッケージ。
【請求項２】
矩形状底面板１の対向する一対の端部に各々折目ａ、ａを介して連設した側面板２、２と、該側面板２、２に前記各々折目ａと平行な各々折目ｂ、ｂを介して連設した重合板３、３と、前記底面板１の対向する他の一対の端部に各々折目ｃ、ｃを介して連設したフラップ板５、５と、前記底面板１の各々折目ｃ側の両端部に各々折目ｃと平行に孔設した各々切抜孔６、６とを備えた外装シートＡと、内容物を包む風呂敷状布帛シートＢと、止めゴムＣとからなり、前記風呂敷状布帛シートＢ上に物品Ｄを載せ、そのシートＢの対角方向に対向する一対の各々角隅シート部１１、１１を重合又は結束して物品Ｄを包んだ風呂敷状布帛シートＢを前記外装シートＡの底面板１上に載置した後、前記底面板１の各々切抜孔６に装通した該風呂敷状布帛シートＢの他の一対の各々角隅シート部１２、１２を各々折目ｃを介して立ち上げた各々フラップ板５を覆うようにして結束し、前記各々側面板２を折目ａを介して立ち上げ、該側面板２の各々重合板３を各々折目ｂを介して折り曲げて重合した後、各々重合板３を輪状の止めゴムＣにて閉鎖することを特徴とする風呂敷状パッケージ。
【請求項３】
前記各々重合板３、３の両方に、把手用の孔設部４を孔設したことを特徴とする請求項１又は２記載の風呂敷状パッケージ。
【請求項４】
矩形状底面板１の対向する一対の端部に各々折目ａ、ａを介して連設した側面板２、２と、該側面板２、２に前記各々折目ａと平行な各々折目ｂ、ｂを介して連設した重合板３、３と、前記各々重合板３、３の一方又は両方に孔設した係止用の孔設部４と、該各々重合板３、３の少なくとも他方を連設した前記側面板２に刻切した前記一方の重合板３の孔設部４内に係止する係止用の差込部７と、前記底面板１の対向する他の一対の端部に各々折目ｃ、ｃを介して連設したフラップ板５、５と、前記底面板１の各々折目ｃ側の両端部に各々折目ｃと平行に孔設した各々切抜孔６、６とを備えた外装シートＡと、内容物を包む風呂敷状布帛シートＢとからなり、前記風呂敷状布帛シートＢ上に物品Ｄを載せ、そのシートＢの対角方向に対向する一対の各々角隅シート部１１、１１を重合又は結束して物品Ｄを包んだ風呂敷状布帛シートＢを前記外装シートＡの底面板１上に載置し、前記側面板２、２と重合板３、３とを物品Ｄ上にて互いに重ね合わせて前記一方の重合板３の孔設部４内に差込部７を差し込み係止して閉鎖した後、前記底面板１の各々切抜孔６に装通した該風呂敷状布帛シートＢの他の一対の各々角隅シート部１２、１２を各々折目ｃを介して立ち上げた各々フラップ板５を覆うようにして結束することを特徴とする風呂敷状パッケージ。
【請求項５】
前記各々重合板３、３の両方に孔設した係止用の孔設部４、４が、パッケージ閉鎖解除後にて、前記各々側面板２、２の各々重合板３、３を各々折目ｂを介して折り曲げて重合
した後における把手用の孔設部として使用可能であることを特徴とする請求項４記載の風呂敷状パッケージ。
【請求項６】
前記折目ｂ、ｂの一端又は両端に、輪状の止めゴムＣを係止する各々切込部３ａ、３ａを設けたことを特徴とする請求項２乃至５のいずれか１項記載の風呂敷状パッケージ。
【発明の詳細な説明】
【技術分野】
【０００１】
本発明は、外観的な趣向性と意匠性とを配慮した風呂敷状のパッケージに関し、物品を包む風呂敷状の布帛と該布帛を包む紙製容器とにより構成される風呂敷状パッケージに関する。
【背景技術】
【０００２】
一般的に、日本の伝統的な物品を包むためのパッケージとしては、織布を用いた風呂敷が、広く知られて多用されており、近年においては、外観的にも趣向性と情緒性にあふれた優雅で自然に優しいパッケージとして、また日本の伝統的な文化遺産としても見直されて来ている。
【０００３】
そして、このような日本の伝統的な風呂敷が持つ外観的な趣向性と情緒性や、豊かな意匠性を活かした各種の形状のパッケージが、和菓子等の菓子類をはじめとする各種食品類や、装飾品類等の各種商品のパッケージとして広く使用されるようになっている。
【０００４】
ところで、物品を包むためのパッケージの外観に優しさや優雅さを持たせ、趣向性や情緒性や豊かな意匠性を活かしたパッケージとしては、その一例として、例えば、実開昭５１−１３２４号、実開昭６１−１５３７６１号、実用新案登録第３０７６９９６号などがある。
【０００５】
以下に、公知の特許文献を記載する。
【特許文献１】実開昭５１−１３２４号
【特許文献２】実開昭６１−１５３７６１号
【特許文献３】実用新案登録第３０７６９９６号
【発明の開示】
【発明が解決しようとする課題】
【０００６】
本発明は、物品を包むための外観的に趣向性と情緒性に溢れ、優雅で自然に優しい日本の伝統的、文化的遺産としての風呂敷をイメージした外観を有するとともに、物品を簡単に包み易く工夫したパッケージを提供することにある。
【課題を解決するための手段】
【０００７】
本発明の請求項１に係る発明は、矩形状底面板１の対向する一対の端部に各々折目ａ、ａを介して連設した側面板２、２と、該側面板２、２に前記各々折目ａと平行な各々折目ｂ、ｂを介して連設した重合板３、３と、前記底面板１の対向する他の一対の端部に各々折目ｃ、ｃを介して連設したフラップ板５、５と、前記底面板１の各々折目ｃ側の両端部に各々折目ｃと平行に孔設した各々切抜孔６、６とを備えた外装シートＡと、内容物を包む風呂敷状布帛シートＢとからなり、前記風呂敷状布帛シートＢ上に物品Ｄを載せ、そのシートＢの対角方向に対向する一対の各々角隅シート部１１、１１を重合又は結束して物品Ｄを包んだ風呂敷状布帛シートＢを前記外装シートＡの底面板１上に載置した後、前記底面板１の各々切抜孔６に装通した該風呂敷状布帛シートＢの他の一対の各々角隅シート部１２、１２を各々折目ｃを介して立ち上げた各々フラップ板５を覆うようにして結束し、前記各々側面板２を折目ａを介して立ち上げ、該側面板２の各々重合板３を各々折目ｂを介して折り曲げて重合した後、該各々重合板３を互いに接合して閉鎖することを特徴と
する風呂敷状パッケージである。
【０００８】
本発明の請求項２に係る発明は、矩形状底面板１の対向する一対の端部に各々折目ａ、ａを介して連設した側面板２、２と、該側面板２、２に前記各々折目ａと平行な各々折目ｂ、ｂを介して連設した重合板３、３と、前記底面板１の対向する他の一対の端部に各々折目ｃ、ｃを介して連設したフラップ板５、５と、前記底面板１の各々折目ｃ側の両端部に各々折目ｃと平行に孔設した各々切抜孔６、６とを備えた外装シートＡと、内容物を包む風呂敷状布帛シートＢと、止めゴムＣとからなり、前記風呂敷状布帛シートＢ上に物品Ｄを載せ、そのシートＢの対角方向に対向する一対の各々角隅シート部１１、１１を重合又は結束して物品Ｄを包んだ風呂敷状布帛シートＢを前記外装シートＡの底面板１上に載置した後、前記底面板１の各々切抜孔６に装通した該風呂敷状布帛シートＢの他の一対の各々角隅シート部１２、１２を各々折目ｃを介して立ち上げた各々フラップ板５を覆うようにして結束し、前記各々側面板２を折目ａを介して立ち上げ、該側面板２の各々重合板３を各々折目ｂを介して折り曲げて重合した後、各々重合板３を輪状の止めゴムＣにて閉鎖することを特徴とする風呂敷状パッケージである。
【０００９】
本発明の請求項３に係る発明は、上記請求項１又は２に係る風呂敷状パッケージにおいて、前記各々重合板３、３の両方に、把手用の孔設部４を孔設したことを特徴とする風呂敷状パッケージである。
【００１０】
本発明の請求項４に係る発明は、矩形状底面板１の対向する一対の端部に各々折目ａ、ａを介して連設した側面板２、２と、該側面板２、２に前記各々折目ａと平行な各々折目ｂ、ｂを介して連設した重合板３、３と、前記各々重合板３、３の一方又は両方に孔設した係止用の孔設部４と、該各々重合板３、３の少なくとも他方を連設した前記側面板２に刻切した前記一方の重合板３の孔設部４内に係止する係止用の差込部７と、前記底面板１の対向する他の一対の端部に各々折目ｃ、ｃを介して連設したフラップ板５、５と、前記底面板１の各々折目ｃ側の両端部に各々折目ｃと平行に孔設した各々切抜孔６、６とを備えた外装シートＡと、内容物を包む風呂敷状布帛シートＢとからなり、前記風呂敷状布帛シートＢ上に物品Ｄを載せ、そのシートＢの対角方向に対向する一対の各々角隅シート部１１、１１を重合又は結束して物品Ｄを包んだ風呂敷状布帛シートＢを前記外装シートＡの底面板１上に載置し、前記側面板２、２と重合板３、３とを物品Ｄ上にて互いに重ね合わせて前記一方の重合板３の孔設部４内に差込部７を差し込み係止して閉鎖した後、前記底面板１の各々切抜孔６に装通した該風呂敷状布帛シートＢの他の一対の各々角隅シート部１２、１２を各々折目ｃを介して立ち上げた各々フラップ板５を覆うようにして結束することを特徴とする風呂敷状パッケージである。
【００１１】
本発明の請求項５に係る発明は、上記請求項４記載の風呂敷状パッケージにおいて、前記各々重合板３、３の両方に孔設した係止用の孔設部４、４が、パッケージ閉鎖解除後にて、前記各々側面板２、２の各々重合板３、３を各々折目ｂを介して折り曲げて重合した後における把手用の孔設部として使用可能であることを特徴とする風呂敷状パッケージである。
【００１２】
本発明の請求項６に係る発明は、上記請求項２乃至５のいずれか１項に係る風呂敷状パッケージにおいて、前記折目ｂ、ｂの一端又は両端に、輪状の止めゴムＣを係止する各々切込部３ａ、３ａを設けたことを特徴とする風呂敷状パッケージである。
【発明の効果】
【００１３】
本発明の風呂敷状パッケージは、外装シートＡにおける矩形状底面板１の両端部に、正方形状の風呂敷状布帛シートＢの対角方向の一対の角隅シート部を装通するための角隅シート装通用の切抜孔６、６が設けられており、所定の物品Ｄを、風呂敷状布帛シートＢ上
の中央部位に載置し、その一対の角隅シート部１１、１１を互いに結束（蝶結び、トンボ結び等）、又は重合、又は重合接合（接着剤又はホッチキス等の止め具にて接合）して包み込み、物品Ｄを包み込んだ風呂敷状布帛シートＢ（風呂敷包み）を、前記外装シートＡの底面板１上に載置した後、該風呂敷状布帛シートＢ（風呂敷包み）の未結束状態の他の一対の各々角隅シート部１２、１２を、前記各々切抜孔６、６に装通することにより、外装シートＡと風呂敷状布帛シートＢ（風呂敷包み）とを定位置に組み合わせ、互いに結合（接続）させることができる。
【００１４】
また、このようにして外装シートＡと風呂敷状布帛シートＢ（風呂敷包み）とを定位置に組み合わせ、互いに結合（接続）させた後には、前記各々切抜孔６、６に装通した風呂敷状布帛シートＢ（風呂敷包み）の他の一対の各々角隅シート部１２、１２を、各々折目ｃ、ｃを介して立ち上げた各々フラップ板５、５を覆うようにして、結束（蝶結び、トンボ結び等）することによって、外装シートＡと結合した風呂敷状布帛シートＢ（風呂敷包み）内の物品Ｄを、二対の角隅シート部１１、１１、１２、１２の結束による風呂敷状布帛シートＢによって完全に包み込むことができ、また、前記他の一対の各々角隅シート部１２、１２を結束する際に、風呂敷状布帛シートＢは折り立てられた各々フラップ板５、５の折目ｃ、ｃに沿って綺麗な形状に折り曲げられた状態にて、物品Ｄを包み込むことができる。
【００１５】
また、このようにして外装シートＡと結合した風呂敷状布帛シートＢ（風呂敷包み）内の物品Ｄを完全に包み込んだ後の風呂敷状布帛シートＢは、外装シートＡの各々側面板２、２を折目ａ、ａを介して折り立てることによって、該側面板２、２により物品Ｄを包み込んだ風呂敷状布帛シートＢの一対の対向面を保護するができる。
【００１６】
また、前記側面板２、２の各々重合板３、３を、各々折目ｂ、ｂを介して折り曲げて重合した後に、輪状の止めゴムＣにて、その重合を保持させることができ、側面板２、２の内面を物品Ｄを包み込んだ風呂敷状布帛シートＢの一対の対向面に密着させた状態で閉鎖させることができる。
【発明を実施するための最良の形態】
【００１７】
本発明の風呂敷状パッケージの実施の形態を以下に詳細に説明すれば、図１は、外装シートＡの一例を説明する平面図（ブランク、展開図）、図２は、外装シートＡの他の例を説明する平面図（ブランク、展開図）、図３は、外装シートＡのその他の例を説明する平面図（ブランク、展開図）、図４（ａ）は、風呂敷状布帛シートＢの斜視図、（ｂ）は、止めゴムＣの説明図、（ｃ）は、内容物Ｄの一例を示す。
【００１８】
本発明の上記請求項１又は請求項３に係る風呂敷状パッケージは、図１、図２に示すような外装シートＡと、図４（ａ）に示す風呂敷状布帛シートＢとからなる。
【００１９】
また本発明の請求項２又は請求項３に係る風呂敷状パッケージは、図１、図２に示すような外装シートＡと、図４（ａ）に示す風呂敷状布帛シートＢと、図４（ｂ）に示すような止めゴムＣとからなる。
【００２０】
また、本発明の請求項４又は請求項５に係る風呂敷状パッケージは、図３に示すような外装シートＡと、図４（ａ）に示す風呂敷状布帛シートＢとからなる。
【００２１】
図１、図２、図３に示すように、本発明の外装シートＡは、板紙単体シート、又は紙を主体とする複合シート（板紙層と合成樹脂（フィルム）層、あるいは板紙層とアルミニウム箔層等）であり、矩形状（長方形、正方形）の底面板１と、その底面板１の対向する一対の端部に各々折目ａ、ａを介して側面板２、２が連設され、該側面板２、２には、前記
各々折目ａと平行な各々折目ｂ、ｂを介して、重合板３、３が連設されている。
【００２２】
前記底面板１の対向する他の一対の端部には、各々折目ｃ、ｃを介してフラップ板５、５が連設され、前記底面板１の各々折目ｃ側の両端部には、各々折目ｃと平行に各々切抜孔６、６が孔設されている。
【００２３】
本発明の外装シートＡの底面板１の形状は矩形状であるが、その側面板２、重合板３、フラップ板５は、その形状を特に限定するものではないが、例えば各々側面板２の形状は、図１、図２、図３に示すような略台形状であってもよいし、あるいは矩形状（長方形、正方形）であってもよい。また、図１、図２、図３に示すような略台形状の場合には、その両側斜辺の端縁形状は直線状であってもよいし、図１に示すような変曲線状、又は図２、図３に示すような円弧線状であってもよい。
【００２４】
また、重合板３の形状は、図１に示すような矩形状であってもよいし、図２、図３に示すような円弧状であってもよい。また、フラップ板５の形状は、図１に示すような矩形状であってもよいし、図２、図３に示すような円弧状であってもよい。
【００２５】
また、外装シートＡの表面、又は表裏両面には、内容物に対応した適宜なる絵柄、模様や、彩色、文字などの内容物の情報表示（印刷による表示）が可能である              
上記本発明の外装シートＡにおいて、上記請求項１又は請求項２又は請求項３における外装シートＡの前記各々重合板３、３には、図１、図２に示すように、必要に応じて、その両方に把手用の孔設部４が孔設されている。
【００２６】
また、上記本発明の外装シートＡにおいて、上記請求項４における外装シートＡの前記各々重合板３、３のいずれか一方の重合板３、又は両方の重合板３には、図３に示すように、係止用の孔設部４が孔設され、該各々重合板３、３の他方の重合板３には、係止用の差込部７が刻切されている。
【００２７】
また、上記本発明の外装シートＡにおいて、上記請求項１又は請求項２又は請求項３又は請求項４又は図５における外装シートＡの前記折目ｂ、ｂの一端又は両端には、図１、図２、図３に示すように、必要に応じて、輪状の止めゴムＣを係止する各々切込部３ａ、３ａが設けられている。
【００２８】
本発明における風呂敷状布帛シートＢは、図４（ａ）の斜視図に示すように、その布帛シートＢの形状は、少なくとも、図４（ｂ）に示すような適宜なる大きさ、形状の内容物Ｄを従来の風呂敷のように包むことができる大きさや柔軟性があれば、通常の公知の「風呂敷」のように正方形や長方形状の矩形状の風呂敷シートであってもよいし、あるいは矩形状シートの各端縁を適宜に変形させた形状のシートであってもよい。
【００２９】
また、本発明における風呂敷状布帛シートＢは、少なくとも、矩形状の風呂敷状布帛シートＢの対角方向に対向する一対の角隅シート部１２、１２が、前述した外装シートＡの底面板１に孔設した各々切抜孔６、６内に装通可能であって、結束（蝶結び、トンボ結び等）が可能な形状であればよく、例えば、通常の風呂敷シートのように正方形や長方形状の矩形状シート以外に、例えば、角隅シート部１２、１２部分が、適宜長さの紐状やテープ状等となっているものでもよい。
【００３０】
風呂敷状布帛シートＢの作製に用いるシート材料としては、天然繊維、化学繊維などによる織布や不織布などが使用でき、その他には、不透明乃至透明な薄い合成樹脂フィルムやラッピングフィルムなども使用可能である。
【００３１】
また、風呂敷状布帛シートＢには、内容物に対応した適宜なる絵柄、模様、彩色、文字などの内容物の情報表示（印刷による表示）が可能であり、適宜な色に着色されていたり、花柄、風景絵柄、彩色柄などの絵柄、模様が施されていてもよい。
【００３２】
本発明における止めゴムＣは、図４（ｃ）に示すように、細長いゴム紐を結び目２２で輪状に結んだ結び輪ゴム２１や、筒状のゴムチューブを直径方向にリング状に裁断した通常のリング状の輪ゴム２１などであってもよい。
【００３３】
本発明の風呂敷状パッケージを用いて、物品Ｄを包装する方法を以下に説明する。
【００３４】
本発明の請求項１又は請求項３に係る風呂敷状パッケージを用いた場合には、まず、図４（ａ）に示す風呂敷状布帛シートＢ上に、図４（ｂ）に示す物品Ｄを載せ、そのシートＢの対角方向に対向する一対の各々角隅シート部１１、１１を互いに重ね合わせ、又は重ね合せた後にその重ね合わせ内面を接着剤等にて接合し、又は蝶結びやトンボ結び等にて結束し、一対の各々角隅シート部１１、１１のみによって物品Ｄを包んだ風呂敷状布帛シートＢ（風呂敷包み）を形成する。
【００３５】
続いて、図５（ａ）又は図６（ａ）に示すように、その物品Ｄを包んだ風呂敷状布帛シートＢ（風呂敷包み）を、図１又は図２に示す外装シートＡの底面板１上に載置し、該風呂敷状布帛シートＢの他の一対の各々角隅シート部１２、１２を底面板１の各々切抜孔６、６に装通する。
【００３６】
続いて、図５（ｂ）又は図６（ｂ）に示すように、底面板１の各々切抜孔６、６に装通した風呂敷状布帛シートＢの他の一対の各々角隅シート部１２、１２を、各々折目ｃ、ｃを介して立ち上げた各々フラップ板５、５を覆うようにして結束する。
【００３７】
続いて、図５（ｃ）又は図６（ｃ）に示すように、前記各々側面板２、２を折目ａ、ａを介して立ち上げ、該側面板２の各々重合板３、３を各々折目ｂ、ｂを介して折り曲げて重合した後、各々重合板３、３を互いに、接着剤、セロファンテープ、ホッチキス等の止め金具等にて接合して閉鎖して、包装を完了する。
【００３８】
次に、本発明の請求項２又は請求項３に係る風呂敷状パッケージを用いた場合には、まず、図４（ａ）に示す風呂敷状布帛シートＢ上に、図４（ｂ）に示す物品Ｄを載せ、そのシートＢの対角方向に対向する一対の各々角隅シート部１１、１１を互いに重ね合わせ、又は重ね合せた後にその重ね合わせ内面を接着剤等にて接合し、又は蝶結びやトンボ結び等にて結束し、一対の各々角隅シート部１１、１１のみによって物品Ｄを包んだ風呂敷状布帛シートＢ（風呂敷包み）を形成する。
【００３９】
続いて、図５（ａ）又は図６（ａ）に示すように、その物品Ｄを包んだ風呂敷状布帛シートＢ（風呂敷包み）を、図１又は図２に示す外装シートＡの底面板１上に載置し、該風呂敷状布帛シートＢの他の一対の各々角隅シート部１２、１２を底面板１の各々切抜孔６、６に装通する。
【００４０】
続いて、図５（ｂ）又は図６（ｂ）に示すように、底面板１の各々切抜孔６、６に装通した風呂敷状布帛シートＢの他の一対の各々角隅シート部１２、１２を、各々折目ｃ、ｃを介して立ち上げた各々フラップ板５、５を覆うようにして結束する。
【００４１】
続いて、図５（ｃ）又は図６（ｃ）に示すように、前記各々側面板２、２を折目ａ、ａを介して立ち上げ、該側面板２の各々重合板３、３を、各々折目ｂ、ｂを介して外側に折り曲げて互いに重合した後、各々重合板３、３に輪状の止めゴムＣを装着し、折目ｂ、ｂ
の両端にある切欠部３ａに止めゴムＣを嵌合して閉鎖するものである。
【００４２】
次に、本発明の請求項４又は請求項５に係る風呂敷状パッケージを用いた場合には、まず、図４（ａ）に示す風呂敷状布帛シートＢ上に、図４（ｂ）に示す物品Ｄを載せ、そのシートＢの対角方向に対向する一対の各々角隅シート部１１、１１を互いに重ね合わせ、又は重ね合せた後にその重ね合わせ内面を接着剤等にて接合し、又は蝶結びやトンボ結び等にて結束し、一対の各々角隅シート部１１、１１のみによって物品Ｄを包んだ風呂敷状布帛シートＢ（風呂敷包み）を形成する。
【００４３】
続いて、図７（ａ）に示すように、その物品Ｄを包んだ風呂敷状布帛シートＢ（風呂敷包み）を、図３に示す外装シートＡの底面板１上に載置し、該風呂敷状布帛シートＢの他の一対の各々角隅シート部１２、１２を底面板１の各々切抜孔６、６に装通する。
【００４４】
続いて、図７（ｂ）に示すように、前記各々側面板２、２を折目ａ、ａを介して立ち上げ、該側面板２、２及び各々重合板３、３を、物品Ｄ上にて互いに重ね合わせ、前記側面板２、２と重合板３、３とを物品Ｄ上にて互いに重ね合わせて、前記一方の重合板３の孔設部４内に、差込部７（凸状部又はＶ凸状部）を差し込み係止して、側面板２、２と重合板３、３とを重ね合わせて物品Ｄを閉鎖する。
【００４５】
続いて、図７（ｃ）に示すように、前記底面板１の各々切抜孔６に装通した該風呂敷状布帛シートＢの他の一対の各々角隅シート部１２、１２を、各々折目ｃを介して立ち上げた各々フラップ板５、５と重ね合わせ係止した側面板２、２と重合板３、３とを覆うようにして、結束するものである。
【００４６】
なお、本発明の上記請求項４、請求項５に係る風呂敷状パッケージにおいては、上記図７（ｃ）に示すような形態に結束して包装した後に、結束された風呂敷状布帛シートＢの各々角隅シート部１２、１２を解いて、パッケージの差込部７による閉鎖を解除し、側面板２、２及び各々重合板３、３を両側に開放して、内容物の物品Ｄの一部を取り出した後に、パッケージを再閉鎖する際には、まず、風呂敷状布帛シートＢの各々角隅シート部１２、１２を結束する。
【００４７】
そして、各々側面板２、２を折目ａ、ａを介して内側に折り曲げて物品Ｄ上に被覆し、続いて、重合板３、３を、各々折目ｂ、ｂを介して外側に折り曲げて互いに重合した後、各々重合板３、３に輪状の止めゴムＣを装着し、折目ｂ、ｂの両端にある切欠部３ａに、止めゴムＣを嵌合して、図５（ｃ）、図６（ｃ）に示すような形態にパッケージを再閉鎖することができ、各々重合板３、３の両方に孔設した係止用の孔設部４、４は、把手用の孔設部として使用することが可能である。
【図面の簡単な説明】
【００４８】
【図１】本発明の風呂敷状パッケージにおける外装シートＡの一例を説明する平面図。
【図２】本発明の風呂敷状パッケージにおける外装シートＡの他の例を説明する平面図。
【図３】本発明の風呂敷状パッケージにおける外装シートＡのその他の例を説明する平面図。
【図４】（ａ）は本発明の風呂敷状パッケージにおける風呂敷状布帛シートＢの平面図、（ｂ）は内容物の一例を説明する斜視図、（ｃ）は本発明の風呂敷状パッケージにおける輪状ゴムの一例を説明する斜視図。
【図５】本発明の風呂敷状パッケージの一例を用いた包装方法を説明する斜視図。
【図６】本発明の風呂敷状パッケージの他の例を用いた包装方法を説明する斜視図。
【図７】本発明の風呂敷状パッケージのその他の例を用いた包装方法を説明する斜視図。
【符号の説明】
【００４９】
Ａ…外装シートＡ  Ｂ…風呂敷状布帛シートＢ  Ｃ…輪状ゴム  Ｄ…内容物（物品）
１…底面板  ２…側面板  ３…重合板  ３ａ…切欠部
４…把手用孔設部（係止用孔設部）  ５…フラップ板  ６…切抜部  ７…係止用切込線
１１…角隅シート部  １２…角隅シート部  
２１…輪ゴム  ２２…結び目
【図１】
2005313950.tif 000003
【図２】
2005313950.tif 000004
【図３】
2005313950.tif 000005
【図４】
2005313950.tif 000006
【図５】
2005313950.tif 000007
【図６】
2005313950.tif 000008
【図７】
2005313950.tif 000009